(57)【要約】      （修正有）【課題】潤滑油の飛散をより確実に防止することができ、エレベータ機器への潤滑油による汚損の防止を図ることができるエレベータのガイド装置を得る。【解決手段】かごに設けられた上部ガイド装置１５は、かごガイドレールに潤滑油を供給する給油器２２と、給油器２２の下方に配置され、かごガイドレールに接触しながらかごとともに移動される上部ガイドシュー２５と、給油器２２及び上部ガイドシュー２５を囲む上部カバー２６と、上部ガイドシュー２５の下方に位置する上部吸着位置に配置された上部吸着体２７とを有している。上部吸着体２７は、潤滑油を吸着する上部油吸着材４１と、上部油吸着材４１を保持する上部吸着用保持板４２とを有している。【選択図】図５
2010013219.tif 000002
【特許請求の範囲】
【請求項１】
ガイドレールに沿って移動される昇降体に設けられ、上記ガイドレールに潤滑油を供給する給油器、
上記昇降体に設けられ、かつ上記給油器の下方に配置され、上記ガイドレールに接触しながら上記昇降体とともに移動される上部ガイドシュー、
上記昇降体に設けられ、上記給油器及び上記上部ガイドシューを囲む上部カバー、及び
上記潤滑油を吸着する上部油吸着材と、上記上部油吸着材を保持する上部吸着用保持部材とを有し、上記昇降体に設けられ、かつ上記上部ガイドシューの下方に位置する上部吸着位置に配置された上部吸着体
を備えていることを特徴とするエレベータのガイド装置。
【請求項２】
上記昇降体に設けられ、かつ上記上部吸着体の下方に配置され、上記ガイドレールに接触しながら上記昇降体とともに移動される下部ガイドシュー、
上記昇降体に設けられ、上記下部ガイドシューを囲む下部カバー、及び
上記潤滑油を吸着する下部油吸着材と、上記下部油吸着材を保持する下部吸着用保持部材とを有し、上記昇降体に設けられ、かつ上記下部ガイドシューの下方に位置する下部吸着位置に配置された下部吸着体
を備えていることを特徴とする請求項１に記載のエレベータのガイド装置。
【請求項３】
上記上部カバーの下部には、所定の空間が上部差し込み口として設けられ、
上記上部吸着体は、上記上部差し込み口に差し込まれることにより、上記上部吸着位置に配置されることを特徴とする請求項１又は請求項２に記載のエレベータのガイド装置。
【請求項４】
上記上部吸着用保持部材の一部は、上記上部吸着体が上記上部吸着位置に配置されているときに、留め部として上記上部カバー外に存在しており、
上記上部吸着体の位置は、上記上部吸着用保持部材の留め部を上記昇降体に留める上部取付手段によって上記上部吸着位置に維持されていることを特徴とする請求項１乃至請求項３の何れかに記載のエレベータのガイド装置。
【請求項５】
上記下部カバーの下部には、所定の空間が下部差し込み口として設けられ、
上記下部吸着体は、上記下部差し込み口に差し込まれることにより、上記下部吸着位置に配置されることを特徴とする請求項１乃至請求項４の何れかに記載のエレベータのガイド装置。
【請求項６】
上記下部吸着用保持部材の一部は、上記下部吸着体が上記下部吸着位置に配置されているときに、留め部として上記下部カバー外に存在しており、
上記下部吸着体の位置は、上記下部吸着用保持部材の留め部を上記下部カバーに留める下部取付手段によって上記下部吸着位置に維持されていることを特徴とする請求項１乃至請求項５の何れかに記載のエレベータのガイド装置。
【発明の詳細な説明】
【技術分野】
【０００１】
この発明は、例えばかご等の昇降体に設けられ、ガイドレールに沿って昇降体を案内するエレベータのガイド装置に関するものである。
【背景技術】
【０００２】
従来、ガイドレールに沿ってかごを円滑に案内するために、ガイドレールに接触しながら移動するガイドシューと、ガイドレールに潤滑油を供給するガイドレール給油装置とがかごの上部に設けられることが知られている。ガイドシューは、かごに取り付けられた保持枠に保持されている。ガイドレール給油装置は、保持枠に支持され、ガイドシューの上方に配置されている。
【０００３】
従来のガイドレール給油装置は、潤滑油を保つ保油シートを収容する本体ケースと、本体ケースの開口部を塞ぐ蓋板とを有している。蓋板のガイドレールに対向する部分には、かごの移動によって潤滑油が飛び散ることを防止するための壁（跳ね上げ防止手段）が設けられている（例えば、特許文献１参照）。
【０００４】
【特許文献１】特開２００２−１２０９８０号公報
【発明の開示】
【発明が解決しようとする課題】
【０００５】
しかし、ガイドレール給油装置の蓋板に壁が設けられているだけでは、飛散される潤滑油が壁を容易に越えてしまうので、潤滑油の飛散を効果的に防止することが困難である。
【０００６】
また、飛散した潤滑油が流れて下方へ伝わってしまうので、ガイドレール給油装置の下方に配置された機器等が潤滑油で汚れてしまう。特に、ガラス窓がかごに設けられた展望エレベータ等では、飛散した潤滑油でガラス窓が汚れやすくなり、清掃作業に手間がかかってしまう。
【０００７】
この発明は、上記のような問題点を解決することを課題としてなされたものであり、潤滑油の飛散をより確実に防止することができ、エレベータ機器への潤滑油による汚損の防止を図ることができるエレベータのガイド装置を得ることを目的とする。
【課題を解決するための手段】
【０００８】
この発明に係るエレベータのガイド装置は、ガイドレールに沿って移動される昇降体に設けられ、ガイドレールに潤滑油を供給する給油器、昇降体に設けられ、かつ給油器の下方に配置され、ガイドレールに接触しながら昇降体とともに移動される上部ガイドシュー、昇降体に設けられ、給油器及び上部ガイドシューを囲む上部カバー、及び潤滑油を吸着する上部油吸着材と、上部油吸着材を保持する上部吸着用保持部材とを有し、昇降体に設けられ、かつ上部ガイドシューの下方に位置する上部吸着位置に配置された上部吸着体を備えている。
【発明の効果】
【０００９】
この発明に係るエレベータのガイド装置では、給油器と、給油器の下方に配置された上部ガイドシューとが上部カバーにより囲まれており、潤滑油を吸着する上部吸着体が、上部ガイドシューの下方に位置する上部吸着位置に配置されているので、給油器及び上部ガイドシューから飛び散った潤滑油を上部カバーによって遮ることができる。また、給油器及び上部ガイドシューから滴下した潤滑油を上部吸着体で吸着することができ、上部吸着体の下方に配置されたエレベータ機器に潤滑油が滴下されることを防止することができる。従って、外部のエレベータ機器への潤滑油の飛散をより確実に防止することができ、エレベータ機器への潤滑油による汚損の防止を図ることができる。
【発明を実施するための最良の形態】
【００１０】
実施の形態１．
図１は、この発明の実施の形態１によるエレベータのかごを示す斜視図である。また、図２は、図１のかごの一部を示す正面図である。図において、昇降路１内には、かご（昇降体）２及び釣合おもり（図示せず）が複数本の主索３により吊り下げられている。各主索３は、昇降路１の上部に設置された巻上機の駆動シーブ（図示せず）に巻き掛けられている。駆動シーブは、巻上機の駆動力により回転される。かご２及び釣合おもりは、駆動シーブの回転により昇降路１内を昇降される。
【００１１】
昇降路１内には、水平方向について互いに対向する一対のかごガイドレール（図１及び図２では図示せず）と、水平方向について互いに対向する一対の釣合おもりガイドレール（図示せず）とが設置されている。かご２は各かごガイドレール間に配置され、釣合おもりは各釣合おもりガイドレール間に配置されている。かご２及び釣合おもりが昇降されるときには、かご２が各かごガイドレールに案内され、釣合おもりが各釣合おもりガイドレールに案内される。
【００１２】
かご２は、かご室４と、かご室４を囲みかご室４を支持するかご枠５とを有している。かご室４は、かご室床枠６を介してかご枠５に支持されている。
【００１３】
かご室４には、かご出入口と、かご出入口を開閉する複数のかごの戸７とが設けられている。かご室４の上部には、かご室４に対して各かごの戸７を水平方向へ移動させるドア駆動伝達装置８が設けられている。かご室４の床部４ａには、各かごの戸７の移動方向に沿って配置されたかご敷居９が設けられている。かご敷居９は、かご出入口の下部に配置されている。かご出入口は、各かごの戸７のかご室４に対する移動により開閉される。なお、かご敷居９には、かご２の昇降方向に沿って配置された保護板であるエプロン１０が取り付けられている。
【００１４】
かご枠５は、かご室４が載せられた下枠１１と、かご室４の上方に配置された上枠１２と、下枠１１及び上枠１２のそれぞれの端部間に接続された一対の縦枠１３とを有している。
【００１５】
上枠１２には、各主索３が接続された綱止め装置１４と、かごガイドレールに沿ってかご２を案内する上部ガイド装置１５とが設けられている。下枠１１には、かご２の落下を阻止する非常止め装置１６と、かごガイドレールに沿ってかご２を案内する下部ガイド装置１７とが設けられている。
【００１６】
非常止め装置１６は、かごガイドレールを把持することにより、かご２の落下を阻止する。非常止め装置１６には、非常止め装置１６と連動して回動する作動レバー１８が連結されている。作動レバー１８には、かご２に対して変位可能な引上棒１９が接続されている。引上棒１９には、昇降路１内に張られた調速機ロープ２０が接続されている。調速機ロープ２０は、昇降路１の上部に設置された調速機（図示せず）に巻き掛けられている。調速機ロープ２０は、かご２の移動に伴って移動される。
【００１７】
例えば主索３の破断等によりかご２が下降し、かご２の速度が異常速度に達したときには、調速機が調速機ロープ２０を拘束する。これにより、調速機ロープ２０の移動は停止されるが、かご２の下降が継続するため、引上棒１９がかご２に対して引き上げられる。これにより、作動レバー１８が上方へ回動され、非常止め装置１６が作動される。非常止め装置１６が作動されると、かごガイドレールが非常止め装置１６により把持され、かご２の落下が阻止される。
【００１８】
図３は、図２の上部ガイド装置１５を示す拡大図である。また、図４は、図３の上部ガイド装置１５を示す上面図である。さらに、図５は、図３の上部ガイド装置１５を示す分解斜視図である。図において、上部ガイド装置１５は、水平方向についてかごガイドレール２１に対向して配置されている。また、上部ガイド装置１５は、図５に示すように、かごガイドレール２１に潤滑油を供給する給油器２２と、給油器２２を支持する上部保持具２３と、上部保持具が取り付けられ、上枠１２に取り付けられた上部取付板２４と、上部保持具２３に保持され、かごガイドレール２１に接触する上部ガイドシュー２５と、給油器２２、上部保持具２３及び上部ガイドシュー２５を囲む上部カバー２６と、上部ガイドシュー２５の下方に位置する所定の上部吸着位置に配置された一対の上部吸着体２７とを有している。
【００１９】
給油器２２は、潤滑油を溜めるケース２８と、ケース２８の開口部を塞ぐ蓋２９と、ケース２８内からかごガイドレール２１に接触し、ケース２８内の潤滑油をかごガイドレール２１に供給する塗油材３０とを有している。塗油材３０は、かごガイドレール２１に接触しながらかご２とともに移動される。塗油材３０としては、例えば綿素材やナイロン素材等が用いられている。
【００２０】
上部保持具２３は、保持具本体３１と、保持具本体３１に設けられ、上部ガイドシュー２５が取り付けられたシュー取付部３２と、保持具本体３１に設けられ、給油器２２が取り付けられた給油器取付部３３とを有している。
【００２１】
保持具本体３１は、ボルト３４により上部取付板２４に取り付けられている。シュー取付部３２には、かごガイドレール２１が挿入される溝部３２ａが設けられている。給油器取付部３３は、保持具本体３１の上部に水平に配置されている。給油器２２は、給油器取付部３３上に載せられた状態でボルト３５により取り付けられている。
【００２２】
上部取付板２４は、ボルト３６及びナット３７により上枠１２の上面にかごガイドレール２１を避けて取り付けられている。上部取付板２４の厚さは、上部吸着体２７の厚さよりも大きくなっている。
【００２３】
上部ガイドシュー２５は、溝部３２ａ内に配置されている。また、上部ガイドシュー２５は、かごガイドレール２１に接触しながらかご２とともに移動される。上部ガイドシュー２５は、上部保持具２３により上部吸着体２７の上方に保持されている。
【００２４】
上部カバー２６は、ねじ３８により上部取付板２４に取り付けられている。また、上部カバー２６には、かごガイドレール２１が挿入される切り欠き部３９が設けられている。さらに、上部カバー２６の底部は開放されている。上部カバー２６と上枠１２の上面との間には、図３に示すように、上部取付板２４の厚さに応じた所定の空間が上部差し込み口４０として設けられている。即ち、上部カバー２６の下部には、所定の上部差し込み口４０が設けられている。
【００２５】
各上部吸着体２７は、上部差し込み口４０に差し込まれることにより上部吸着位置に配置されている。上部吸着位置に配置されている各上部吸着体２７は、水平方向について互いに間隔を置いて並べられている。かごガイドレール２１は、各上部吸着体２７間の空間を通されている。上部吸着体２７は、潤滑油を吸着する上部油吸着材４１と、上部油吸着材４１を保持する上部吸着用保持板（上部吸着用保持部材）４２とを有している。上部油吸着材４１としては、例えばスポンジ等、潤滑油を保つことが可能な多孔質体が用いられている。
【００２６】
上部吸着用保持板４２の一部は、上部吸着体２７が上部吸着位置に配置されているときに、留め部４２ａとして上部カバー２６外に存在している。留め部４２ａは、上枠１２の上面に重なっている。留め部４２ａは、上部取付手段としての留めねじ４３により上枠１２に留められている。従って、上部吸着体２７は、留めねじ４３を操作することにより上枠１２に対して着脱可能になっている。上部吸着体２７の位置は、留め部４２ａが留めねじ４３によって上枠１２に留められることにより、上部吸着位置に維持される。
【００２７】
図６は、図１の非常止め装置１６及び下部ガイド装置１７を示す分解斜視図である。図において、非常止め装置１６及び下部ガイド装置１７は、下枠１１の端部の下面に固定された支持台４４に支持されている。
【００２８】
非常止め装置１６は、下枠１１の端部に固定されたくわえ金４５と、くわえ金４５の下方に配置され、くわえ金４５に対して上下方向へ変位可能な楔４６とを有している。
【００２９】
くわえ金４５には、かごガイドレール２１に対して傾斜された傾斜面４７が設けられている。傾斜面４７とかごガイドレール２１との間隔は、下部から上部へ連続的に狭くなっている。
【００３０】
楔４６は、作動レバー１８の回動に応じて上下方向へ変位される。引上棒１９がかご２に対して引き上げられて作動レバー１８が上方へ回動されることにより、楔４６は上方へ変位され、傾斜面４７とかごガイドレール２１との間に噛み込む。楔４６が傾斜面４７とかごガイドレール２１との間に噛み込むことにより、かご２に対して制動力が与えられ、かご２の落下が阻止される。
【００３１】
下部ガイド装置１７は、支持台４４の下面に取り付けられている。また、下部ガイド装置１７は、非常止め装置１６の下方に配置されている。さらに、下部ガイド装置１７は、支持台４４に取り付けられた下部取付板４８と、下部取付板４８の下面に取り付けられた下部保持具４９と、下部保持具４９に保持され、かごガイドレール２１（図３及び図４）に接触する下部ガイドシュー５０と、下部保持具４９及び下部ガイドシュー５０を囲む下部カバー５１と、下部ガイドシュー５０の下方に位置する所定の下部吸着位置に配置された一対の下部吸着体５２とを有している。下部取付板４８は、ボルト５３及びナット５４により支持台４４の下面に取り付けられている。
【００３２】
下部保持具４９は、ボルト５５により下部取付板４８に取り付けられた保持具本体５６と、保持具本体５６に設けられ、下部ガイドシュー５０が取り付けられたシュー取付部５７とを有している。シュー取付部５７には、かごガイドレール２１が挿入される溝部５７ａが設けられている。
【００３３】
下部ガイドシュー５０は、溝部５７ａ内に配置されている。また、下部ガイドシュー５０は、かごガイドレール２１に接触しながらかご２とともに移動される。
【００３４】
下部カバー５１は、ねじ５８により下部取付板４８に取り付けられている。また、下部カバー５１には、かごガイドレール２１が挿入される切り欠き部５９が設けられている。さらに、下部カバー５１は、下部カバー本体６０と、下部カバー本体６０の下端部に設けられ、下部吸着体５２を受ける吸着体受け板６１とを有している。下部カバー本体６０の下端部と吸着体受け板６１との間には、所定の空間が下部差し込み口６２として設けられている。即ち、下部カバー５１の下部には、所定の下部差し込み口６２が設けられている。
【００３５】
各下部吸着体５２は、下部差し込み口６２に差し込まれ吸着体受け板６１に載せられることにより下部吸着位置に配置されている。下部吸着位置に配置されている各下部吸着体５２は、水平方向について互いに間隔を置いて並べられている。かごガイドレール２１は、各下部吸着体５２間の空間を通されている。下部吸着体５２は、潤滑油を吸着する下部油吸着材６３と、下部油吸着材６３を保持する下部吸着用保持板（下部吸着用保持部材）６４とを有している。下部油吸着材６３としては、例えばスポンジ等、潤滑油を保つことが可能な多孔質体が用いられている。
【００３６】
下部吸着用保持板６４の一部は、下部吸着体５２が下部吸着位置に配置されているときに、溜め部６４ａとして下部カバー５１外に存在している。留め部６４ａは、吸着体受け板６１に重なっている。留め部６４ａは、下部取付手段としての留めねじ６５により吸着体受け板６１に留められている。従って、下部吸着体５２は、留めねじ６５を操作することにより下部カバー５１に対して着脱可能になっている。下部吸着体５２の位置は、留め部６４ａが留めねじ６５によって吸着体受け板６１に留められることにより、下部吸着位置に維持される。
【００３７】
次に、動作について説明する。かご２が昇降されるときには、上部ガイドシュー２５及び下部ガイドシュー５０がかごガイドレール２１に接触しながらかご２とともに移動される。このとき、給油器２２は、潤滑油をかごガイドレール２１に供給しながらかご２とともに移動される。かごガイドレール２１に供給された潤滑油の一部は、かごガイドレール２１の表面を流れて下方へ伝わる。これにより、かご２はかごガイドレール２１によって円滑に案内される。
【００３８】
かご２が昇降されるときには、給油器２２、上部ガイドシュー２５及び下部ガイドシュー５０がかごガイドレール２１に接触しているので、給油器２２、上部ガイドシュー２５及び下部ガイドシュー５０のそれぞれの位置で潤滑油が溜まったり飛び散ったりする。
【００３９】
給油器２２及び上部ガイドシュー２５で溜まった潤滑油は、下方へ滴下されることにより、上部油吸着材４１で吸着される。また、給油器２２及び上部ガイドシュー２５から飛び散った潤滑油は、上部カバー２６によって遮られる。これにより、潤滑油の外部機器への飛散が防止される。さらに、下部ガイドシュー５０で溜まった潤滑油は、下方へ滴下されることにより、下部油吸着材６３で吸着される。
【００４０】
上部油吸着材４１及び下部油吸着材６３に保たれる潤滑油の量は、エレベータの運転時間が長くなるほど多くなる。従って、上部吸着体２７及び下部吸着体５２の交換が定期的に行われる。
【００４１】
次に、上部吸着体２７の交換の手順について説明する。まず、留め部４２ａを留めている留めねじ４３を取り外す。この後、上部吸着用保持板４２を持ちながら、上部吸着体２７を上部差し込み口４０から水平方向へ引き出す。この後、交換用の上部吸着体２７を上部差し込み口４０に差し込み、差し込んだ上部吸着体２７の留め部４２ａを上枠１２に留めねじ４３で留める。これにより、上部吸着体２７の交換作業が完了する。
【００４２】
使用済みの上部吸着体２７については、例えば上部油吸着材４１に保たれている潤滑油を搾り出す等、上部油吸着材４１に対する清掃を行うことにより、再使用される。
【００４３】
次に、下部吸着体５２の交換の手順について説明する。まず、留め部６４ａを留めている留めねじ６５を取り外す。この後、下部吸着用保持板６４を持ちながら、下部吸着体５２を下部差し込み口６２から水平方向へ引き出す。この後、交換用の下部吸着体５２を下部差し込み口６２に差し込み、差し込んだ下部吸着体５２の留め部６４ａを吸着体受け板６１に留めねじ６５で留める。これにより、下部吸着体５２の交換作業が完了する。
【００４４】
使用済みの下部吸着体５２についても、上部吸着体２７と同様に清掃されることにより、再使用される。
【００４５】
このようなエレベータのガイド装置では、給油器２２と、給油器２２の下方に配置された上部ガイドシュー２５とが上部カバー２６により囲まれており、潤滑油を吸着する上部吸着体２７が、上部ガイドシュー２５の下方に位置する上部吸着位置に配置されているので、給油器２２及び上部ガイドシュー２５から飛び散った潤滑油を上部カバー２６によって遮ることができる。また、給油器２２及び上部ガイドシュー２５から滴下した潤滑油を上部吸着体２７で吸着することができ、上部吸着体２７の下方に配置されたエレベータ機器に潤滑油が滴下されることを防止することができる。従って、外部のエレベータ機器への潤滑油の飛散をより確実に防止することができ、エレベータ機器への潤滑油による汚損の防止を図ることができる。
【００４６】
また、上部吸着体２７の下方に配置された下部ガイドシュー５０が下部カバー５１により囲まれており、潤滑油を吸着する下部吸着体５２が、下部ガイドシュー５０の下方に位置する下部吸着位置に配置されているので、下部ガイドシュー５０から飛び散った潤滑油を下部カバー５１によって遮ることができる。また、下部ガイドシュー５０から滴下した潤滑油を下部吸着体５２で吸着することができ、下部吸着体５２の下方に配置されたエレベータ機器に潤滑油が滴下されることを防止することができる。従って、外部のエレベータ機器への潤滑油の飛散をさらに確実に防止することができ、エレベータ機器への潤滑油による汚損の防止をさらに図ることができる。
【００４７】
また、上部吸着体２７は、上部カバー２６の下部に設けられた上部差し込み口４０に差し込まれることにより、所定の上部吸着位置に配置されるので、上部カバー２６を取り外さずに上部吸着体２７を上部吸着位置に配置することができる。従って、上部吸着体２７の取り付け作業を容易にすることができる。
【００４８】
また、上部吸着体２７が上部吸着位置に配置されているときに、上部吸着用保持板４２の一部が留め部４２ａとして上部カバー２６外に存在しており、留め部４２ａが留めねじ４３により上枠１２に留められることにより、上部吸着体２７の位置が上部吸着位置に維持されるので、上部カバー２６を取り外さずに上部吸着体２７の着脱を行うことができる。従って、上部吸着体２７の交換作業を容易にすることができる。
【００４９】
また、下部吸着体５２は、下部カバー５１の下部に設けられた下部差し込み口６２に差し込まれることにより、所定の下部吸着位置に配置されるので、下部カバー５１を取り外さずに下部吸着体５２を下部吸着位置に配置することができる。従って、下部吸着体５２の取り付け作業を容易にすることができる。
【００５０】
また、下部吸着体５２が下部吸着位置に配置されているときに、下部吸着用保持板６４の一部が留め部６４ａとして下部カバー５１外に存在しており、留め部６４ａが留めねじ６５により吸着体受け板６１に留められることにより、下部吸着体５２の位置が下部吸着位置に維持されるので、下部カバー５１を取り外さずに下部吸着体５２の着脱を行うことができる。従って、下部吸着体５２の交換作業を容易にすることができる。
【００５１】
なお、上記の例では、この発明がかご２に適用されているが、釣合おもりにこの発明を適用してもよい。
【図面の簡単な説明】
【００５２】
【図１】この発明の実施の形態１によるエレベータのかごを示す斜視図である。
【図２】図１のかごの一部を示す正面図である。
【図３】図２の上部ガイド装置を示す拡大図である。
【図４】図３の上部ガイド装置を示す上面図である。
【図５】図３の上部ガイド装置を示す分解斜視図である。
【図６】図１の非常止め装置及び下部ガイド装置を示す分解斜視図である。
【符号の説明】
【００５３】
２  かご（昇降体）、２１  かごガイドレール、２２  給油器、２５  上部ガイドシュー、２６  上部カバー、２７  上部吸着体、４０  上部差し込み口、４１  上部油吸着材、４２  上部吸着用保持板、４２ａ  留め部、４３  留めねじ（上部取付手段）、５０  下部ガイドシュー、５１  下部カバー、５２  下部吸着体、６２  下部差し込み口、６３  下部油吸着材、６４  下部吸着用保持板、６４ａ  留め部、６５  留めねじ（下部取付手段）。
【図１】
2010013219.tif 000003
【図２】
2010013219.tif 000004
【図３】
2010013219.tif 000005
【図４】
2010013219.tif 000006
【図５】
2010013219.tif 000007
【図６】
2010013219.tif 000008